(57)【要約】【課題】  本発明は、簡素な構造からなり、組立性および生産性に優れるとともに記録ディスクメディアの枚数の変更などの設計変更の自由度が高く、しかも、これら組立性、生産性および設計変更の自由度をできるだけ阻害しないように機能部品が配置された記録ディスクカートリッジを提供する。【解決手段】  記録ディスクメディアの一例である磁気ディスクメディア４１をカートリッジケースに複数収納する。カートリッジケースは、磁気ディスクメディア４１に平行な下壁を構成する下プレート１０と、下プレート１０の上に積層され固定されて複数の磁気ディスクメディア４１を仕切るインナプレート２０と、インナプレート２０の上に積層され固定されてカートリッジケースの上壁を構成する上プレート３０とを備えて構成する。シャッタロック部材や誤消去防止部材などを下プレート１０に集中的に配置する。【選択図】      図２
2006073101.tif 000002
【特許請求の範囲】
【請求項１】
フレキシブルな複数の記録ディスクメディアをカートリッジケース内に一体回転可能に収納した記録ディスクカートリッジであって、
前記カートリッジケースは、前記記録ディスクメディアに平行な下壁を構成する下プレートと、
前記下プレートの上に積層され固定されて前記複数の記録ディスクメディアを仕切る少なくとも１枚のインナプレートと、
前記インナプレートの上に積層され固定されて前記カートリッジケースの上壁を構成する上プレートとを備えており、
前記下プレートには、ディスクドライブのヘッドを前記カートリッジケース内に進入させる開口部を開閉するシャッタの開動作を制止するシャッタロック部材、および前記記録ディスクメディアに記録されたデータの誤消去を防止する誤消去防止部材の少なくともいずれか一方が配置されていることを特徴とする記録ディスクカートリッジ。
【請求項２】
前記下プレートには、前記シャッタロック部材および前記誤消去防止部材の両方が配置されていることを特徴とする請求項１に記載の記録ディスクカートリッジ。
【請求項３】
前記下プレートには、ディスクドライブのアクセス対象となるアクセス部の全てが配設されていることを特徴とする請求項１または請求項２に記載の記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。
【０００４】
ところで、フレキシブルな磁気ディスクメディアは、メディア自身の剛性が低いため、回転させると記録面に垂直な方向に振れやすいという問題がある。そのため、前記した特許文献１に記載の発明においては、各磁気ディスクメディアをシャッタにより挟んだ構成としている。このように磁気ディスクメディアの近傍に剛性が高いシャッタなどの板部材を配置することにより、磁気ディスクメディアが回転にともない板部材に沿うので、記録面を安定させることができる。
【特許文献１】特開２００４−２２０１１号公報
【発明の開示】
【発明が解決しようとする課題】
【０００５】
しかしながら、前記した特許文献１の磁気ディスクカートリッジは、前記した板部材を１枚の磁気ディスクメディアに対して４枚配置した可動なシャッタ部材から構成しているため、構造が複雑であり、磁気ディスクメディアとの平行が保ちにくいという問題がある。また、磁気ディスクカートリッジは、大量に生産する商品であるため、組立性、生産性に優れることが望ましい。さらに、磁気ディスクメディアの枚数を、３枚、５枚などとした磁気ディスクカートリッジを複数種類設定しやすいように、設計変更の自由度が高いことが望ましい。
【０００６】
また、このような磁気ディスクカートリッジには、未使用時にシャッタをロックするとともに、使用時にそのロックを解除するシャッタロック部材や、磁気ディスクメディアに記録されたデータの誤消去を防止する誤消去防止部材などの機能部品が配設されることが望ましい。このような機能部品は、磁気ディスクカートリッジがディスクドライブに装填される際、あるいは装填された際に、ディスクドライブ側がアクセスすることができるようにカートリッジケースに配置されることとなる。そして、これら機能部品は、前記した磁気ディスクカートリッジの組立性、生産性および設計変更の自由度をできるだけ阻害しないように配置される必要がある。
【０００７】
このような背景に鑑みて本発明がなされたものであり、本発明は、簡素な構造からなり、組立性および生産性に優れるとともに記録ディスクメディアの枚数の変更などの設計変更の自由度が高く、しかも、これら組立性、生産性および設計変更の自由度をできるだけ阻害しないように機能部品が配置された記録ディスクカートリッジを提供することを目的とする。
【課題を解決するための手段】
【０００８】
前記した課題を解決するため、本発明の記録ディスクカートリッジは、フレキシブルな複数の記録ディスクメディアをカートリッジケース内に一体回転可能に収納した記録ディスクカートリッジであって、前記カートリッジケースは、前記記録ディスクメディアに平行な下壁を構成する下プレートと、前記下プレートの上に積層され固定されて前記複数の記録ディスクメディアを仕切る少なくとも１枚のインナプレートと、前記インナプレートの上に積層され固定されて前記カートリッジケースの上壁を構成する上プレートとを備えており、前記下プレートには、ディスクドライブのヘッドを前記カートリッジケース内に進入させる開口部を開閉するシャッタの開動作を制止するシャッタロック部材、および前記記録ディスクメディアに記録されたデータの誤消去を防止する誤消去防止部材の少なくともいずれか一方が配置されていることを特徴とする。
【０００９】
このような構成により、本発明の記録ディスクカートリッジは、下プレート、インナプレート、上プレートを積み上げていく形でカートリッジケースが構成される。そのため、インナプレートと記録ディスクメディアの組を一つの単位とでき、インナプレートもすべて同じ部品とすることができて生産性に優れる。そして、組立工程における記録ディスクメディアの持ち運びも下プレートやインナプレートをトレー代わりにして行うことができるのでメディアを損傷・汚損することなく、組立性にも優れる。また、記録ディスクメディアの枚数を変更した仕様としたい場合には、主としてインナプレートの枚数を変えれば済むので仕様の変更が容易である。さらに、仕切り板となるインナプレートはカートリッジケースの一部として固定されているので、記録ディスクメディアとの平行性などの精度を出しやすく、記録ディスクメディアの、特に２０００〜８０００ｒｐｍのような高速での回転安定性を高めることができる。
【００１０】
また、この記録ディスクカートリッジでは、シャッタロック部材および誤消去防止部材の少なくともいずれか一方が下プレートに配置されるので、シャッタロック部材や誤消去防止部材を記録ディスクカートリッジに組み込むための構造が下プレートに形成される。その結果、インナプレートや上プレートの形状を大幅に変更することが回避される。また、記録ディスクカートリッジが組み立てられる際に、シャッタロック部材や誤消去防止部材は、下プレートに載せて持ち運ぶことができる。そして、インナプレートの形状を大幅に変更することが回避されるので、インナプレートの枚数を変えれば記録ディスクメディアの枚数の変更が可能となる。つまり、この記録ディスクカートリッジによれば、その組立性、生産性および設計変更の自由度をできるだけ阻害しないようにしてシャッタロック部材や誤消去防止部材（機能部品）の配置が可能となる。
【００１１】
また、前記した記録ディスクカートリッジにおいて、前記下プレートには、前記シャッタロック部材および前記誤消去防止部材の両方が配置されていることが望ましい。
【００１２】
また、前記した記録ディスクカートリッジにおいて、前記下プレートには、ディスクドライブのアクセス対象となるアクセス部の全てが配設されていてもよい。
この記録ディスクカートリッジでは、ディスクドライブのアクセス対象となるアクセス部、例えば、ディスクドライブ内で記録ディスクカートリッジを位置決めするためのノッチ、ディスクドライブへの記録ディスクカートリッジの挿入方向を識別する挿入方向識別部、記録ディスクカートリッジの表裏を識別する表裏識別部などの全てが下プレートに集中的に配設されている。その結果、この記録ディスクカートリッジでは、カートリッジケースを構成するインナプレートにアクセス部を配設する必要がない。つまり、記録ディスクメディアを仕切るインナプレートに干渉しないようにアクセス部が配設されている。したがって、この記録ディスクカートリッジによれば、記録ディスクメディアの配置等の設計の自由度を一段と高めることができる。
【発明の効果】
【００１３】
本発明によれば、下プレート、インナプレート、上プレートを積み上げていく形でカートリッジケースが構成されるので、部品の共通化により生産性の向上が可能となり、記録ディスクメディアをインナプレートなどに載せて持ち運ぶことで、記録ディスクメディアを、損傷・汚損することなく、組立性にも優れる。
また、主としてインナプレートの枚数を変更することで容易に記録ディスクメディアの枚数の変更を行うことができる。
また、本発明によれば、記録ディスクカートリッジの組立性、生産性および設計変更の自由度をできるだけ阻害しないように機能部品を配置することができる。
【発明を実施するための最良の形態】
【００１４】
次に、本発明の実施形態について、適宜図面を参照しながら詳細に説明する。本実施形態においては、記録ディスクメディアの一例として磁気ディスクメディアを採用した場合について説明する。
【００１５】
図１（ａ）は、実施形態に係る磁気ディスクカートリッジをその右斜め前方向から見た様子を示す斜視図、図１（ｂ）は、実施形態に係る磁気ディスクカートリッジをその左斜め後方向から見た様子を示す斜視図であり、図２は、実施形態に係る磁気ディスクカートリッジの分解斜視図であり、図３（ａ）は、図２の磁気ディスクカートリッジのシャッタが閉じている状態を示す図、図３（ｂ）は、磁気ディスクカートリッジが磁気ディスクドライブに装填されて、シャッタが開いている状態を示す図であり、図４（ａ）は、下プレートの斜視図、図４（ｂ）は、図４（ａ）中のＸ方向から見た下プレートの部分拡大図であり、図５は、下プレートに取り付けられたシャッタロック部材の様子を示す平面図であり、図６は、下プレートに取り付けられた誤消去防止部材の様子を示す平面図であり、図７は、上プレートの裏側を示す斜視図であり、図８は、図３（ｂ）におけるVIII−VIII断面図であり、図９は、図８の部分拡大図であり、図１０は、磁気ディスクメディアの積層構造を示す分解斜視図であり、図１１（ａ）は、磁気ディスクカートリッジが磁気ディスクドライブに装填された際の様子を示す模式図、図１１（ｂ）は、図１１（ａ）中のＹ方向から見た位置決め部材周りの様子を示す模式図である。なお、図２においては、便宜上、シャッタロック部材および誤消去防止部材の記載は省略している。そして、以下の説明において、上下は、磁気ディスクカートリッジの典型的な使用状態を基準とし、便宜上磁気ディスクメディアの面に垂直な方向を上下と称するとともに、上側を表側と称し、下側を裏側と称する。
【００１６】
図１（ａ）に示すように、記録ディスクカートリッジの一例である磁気ディスクカートリッジ１は、下壁を構成する下プレート１０と、複数枚、例えば４枚のインナプレート２０と、上壁を構成する上プレート３０とを備えている。この磁気ディスクカートリッジ１は、下プレート１０、４枚のインナプレート２０および上プレート３０がこの順に積層されるとともに、これらが４つのネジ９１で締結され固定されることによってカートリッジケース２が形成されている。
【００１７】
図２に示すように、下プレート１０とインナプレート２０の間、インナプレート２０同士の間、およびインナプレート２０と上プレート３０の間のそれぞれには磁気ディスクメディア４１が配置されている。磁気ディスクメディア４１は中央に開口部４１ａを有する円盤形状であり、開口部４１ａの縁に金属製のセンタコア４２が貼り付けられている。そして、センタコア４２同士がスペーサ４３により係合して５枚の磁気ディスクメディア４１（この積層・一体化された磁気ディスクメディア４１をディスクスタック４０（図８参照）とする）を一体に回転するようになっている。
【００１８】
各インナプレート２０は、平板状の主プレート２１の外周縁に上下のプレートと当接するリブ２２が形成されている。インナプレート２０の図２における右手前側の一部は、磁気ヘッド６３（図８参照）が磁気ディスクメディア４１上に移動しやすいように切欠２３を形成している。この切欠２３の部分は、前記したリブ２２が形成されておらず、そのためインナプレート２０を積み重ねると、図１（ａ）に示すように、カートリッジケース２の前側面２ａに開口部３が形成される。なお、磁気ディスクカートリッジ１は、この前側面２ａから後記する磁気ディスクドライブ６（図１１（ａ）参照）に挿入されることとなる。なお、この磁気ディスクドライブ６は、特許請求の範囲にいう「ディスクドライブ」に相当する。
【００１９】
この開口部３は、図３（ａ）に示すように、ディスクスタック４０と同軸の回転軸ＡＸ周りに回動するシャッタ４により開閉される。シャッタ４は、図２に示すように下ロータ５１と上ロータ５２とを組み合わせることにより構成されている。
【００２０】
次に、各部材についてより詳細に説明する。
図２に示すように、下プレート１０は、主として略正方形の主プレート１１と、主プレート１１の外周縁に形成されて、インナプレート２０のリブ２２の下面側と当接するリブ１２と、側壁１３とを備えている。側壁１３は、主プレート１１の１つの角（図２においては手前側の角）から所定の範囲、例えば一辺の３分の１程度の範囲に立設されており、およそインナプレート２０を積み重ねた高さで形成されている。
【００２１】
主プレート１１の側壁１３に連なる一方の一辺１１ａ（図２における右手前側の一辺）から主プレート１１の中心に向かう扇形の部分は、一段低くなった凹部１４ａを形成し、外周縁にはリブ１２が形成されずに開口１４となっている。これにより、磁気ヘッド６３がカートリッジケース２内に進入することを容易にしている。
主プレート１１の側壁１３に連なる他の一辺１１ｂ（図２における左手前側の一辺）の中央略３分の１の範囲は、後記する下ロータ５１のギヤ５１ｆが露出できるようにリブ１２が形成されずに開口１５となっている。また、当該他の一辺１１ｂ側の側壁１３の外側には、開口１５に連なって下プレート１０の外周に沿った溝１３ａが形成されている。溝１３ａは、磁気ディスクドライブのシャッタオープンギヤ６７（図３（ａ）参照）がギヤ５１ｆに係合すべく図３（ａ）の矢印Ａｒで示す方向へ進入して開口１５へ入り込む通路となっている。
【００２２】
前記したリブ１２は、主プレート１１の外周縁のうち、側壁１３、開口１４および開口１５を除く全周にわたり、上方へ突出するように形成されている。
主プレート１１の中央には、最下層の磁気ディスクメディア４１に設けられるセンタコア４２を露出させるための円形の開口部１６が形成されている。開口部１６の上側の縁には、下ロータ５１の中央に形成された中央開口部５１ｃが外嵌するリブ１７が全周にわたって形成されている。このリブ１７は、下ロータ５１を回動自在に支持する。
また、主プレート１１の上面（裏側の面）において、下ロータ５１の外周縁に対応する位置には、円形状の下ロータ支持溝１８が形成されている。この下ロータ支持溝１８は、下ロータ５１の外周縁において下方へ向けて形成されるリブ５１ｄ（図８参照）と係合することで、下ロータ５１を磁気ディスクメディア４１と同軸で回動自在に支持する。
また、主プレート１１の四つの角部には上下に貫通して、雌ネジが形成されたネジ孔１９が形成されている。
【００２３】
このような下プレート１０には、図１（ａ）に示すように、カートリッジケース２の前側面２ａに配置された側壁１３部分であって、開口部３寄りの位置にノッチ２５が形成されている。また、下プレート１０には、図４（ａ）に示すように、直方体形状の裏当て部２６が側壁１３と主プレート１１とに跨ってこれらと一体になるように設けられており、ノッチ２５は、側壁１３の外側からこの裏当て部２６の内部を穿つように形成されている。
このノッチ２５は、図４（ｂ）を併せて参照すると明らかなように、その断面がＶ字状になったいわゆるＶ字ノッチであって、ノッチ２５は、後記する磁気ディスクドライブ６（図１１（ｂ）参照）側から突出する位置決め部材６４であるピンを、Ｖ字を構成するその両側面２５ａ，２５ａで支えるようにして受け止める形状となっている。そして、このノッチ２５の下側の端部は、図１（ａ）に示すように、下プレート１０（カートリッジケース２）の下面２ｂに臨んでいる。なお、本実施形態におけるノッチ２５は、磁気ディスクドライブ６側の位置決め部材６４がアクセスする部分であり、後記する挿入方向識別部および表裏識別部としての面取り部１３ｂ（図２参照）とともに、特許請求の範囲にいう「アクセス部」を構成している。
【００２４】
また、下プレート１０は、図２に示すように、辺１１ａ側の側壁１３と辺１１ｂ側の側壁１３との間に面取り部１３ｂが形成されている。この面取り部１３ｂは、磁気ディスクカートリッジ１が後記する磁気ディスクドライブ６（図１１（ａ）参照）に装填された際に、磁気ディスクドライブ６側に設けられた受止め部材６８（図１１（ｂ）参照）に沿うように形成されている。
このような面取り部１３ｂは、図１に示すように、磁気ディスクカートリッジ１の右前方の角に形成されていることから、磁気ディスクドライブ６に磁気ディスクカートリッジ１を挿入する際の挿入方向Ｄと、磁気ディスクカートリッジ１の表裏の別とを目視で容易に判断することができるようになっている。そして、磁気ディスクカートリッジ１が磁気ディスクドライブ６に挿入された際に、面取り部１３ｂが磁気ディスクドライブ６の受止め部材６８に沿うように挿入されなかった場合、つまり、挿入方向Ｄが誤っていた場合や磁気ディスクカートリッジ１の表裏の別が誤っていた場合には、磁気ディスクカートリッジ１が磁気ディスクドライブ６に装填されないようになっている。すなわち、磁気ディスクドライブ６側では、受止め部材６８が磁気ディスクカートリッジ１の面取り部１３ｂにアクセスすることによって磁気ディスクカートリッジ１の挿入方向および表裏の別が正常であるか否かを識別している。なお、本実施形態に係る磁気ディスクカートリッジ１での面取り部１３ｂは、前記したように挿入方向識別部および表裏識別部として機能しており、前記したノッチ２５とともに特許請求の範囲にいう「アクセス部」を構成している。
【００２５】
また、下プレート１０の辺１１ｂ側の側壁１３には、図４（ａ）に示すように、この側壁１３を貫通する孔１３ｃが形成されている。この孔１３ｃは、図１（ａ）に示すように、溝１３ａに開口している。
【００２６】
そして、このような下プレート１０には、図４（ａ）に示すように、シャッタロック部材７１と誤消去防止部材７２とが配設されている。
【００２７】
シャッタロック部材７１は、主プレート１１から上方に向かって突出するように形成された軸部７１ａに取り付けられて、この軸部７１ａ周りに回動可能になっている。このシャッタロック部材７１は、図５に示すように、軸部７１ａ側から後記するギヤ５１ｆ（下ロータ５１）に向かって延びる第１アーム７１ｂと、軸部７１ａ側から下プレート１０の辺１１ｂ側の側壁１３に形成された孔１３ｃに向かって延びる第２アーム７１ｃと、軸部７１ａ側から辺１１ｂ側の側壁１３の内側に向かって延びる板バネ部７１ｄとを備えている。そして、このシャッタロック部材７１では、第１アーム７１ｂの先端部が下ロータ５１のギヤ５１ｆと噛み合い、第２アーム７１ｃの先端部が孔１３ｃに嵌り込むとともに溝１３ａ内に突出し、板バネ部７１ｄの先端部は、辺１１ｂ側の側壁１３の内側に当接している。
このようなシャッタロック部材７１は、第２アーム７１ｃの先端部が溝１３ａ側から辺１１ｂ側の側壁１３の内側に向けて押圧されると、板バネ部７１ｄが撓むことによって軸部７１ａ周りに回動する。そして、シャッタロック部材７１が図５中における時計回りに回動することによって、第１アーム７１ｂの先端部がギヤ５１ｆから外れる。その結果、後記するようにシャッタプレート５１ｂ（図２参照）が取り付けられた下ロータ５１の回転を可能にする。そして、押圧している第２アーム７１ｃの先端部を解放すると、板バネ部７１ｄが復元することによって、第１アーム７１ｂの先端部は再びギヤ５１ｆに噛み合う。その結果、下ロータ５１は回転不能となってシャッタ４（図３（ａ）参照）はロックされる。
【００２８】
誤消去防止部材７２は、例えば、ＬＴＯ規格に準じた磁気テープカートリッジに使用されている誤消去防止部材のような公知の構造を備えており、図４（ａ）に示すように、本体部７２ａと、この本体部７２ａの底面から下方に突出したピン状の突起部７２ｂと、本体部７２ａの側面から側方に突出した摘み部７２ｃとを備えている。そして、この誤消去防止部材７２は、図６を併せて参照すると明らかなように、突起部７２ｂが下プレート１０の左角に形成された長孔１０ａに嵌め入れられるとともに、本体部７２ａが下プレート１０に形成された案内リブ１０ｂに沿ってスライドするようになっている。そして、摘み部７２ｃは、下プレート１０のリブ１２に形成された窓部１２ｃから下プレート１０の外側に向かって突出している。
このような誤消去防止部材７２は、図６に示すように、摘み部７２ｃを窓部１２ｃ内で横方向に移動させることによって、突起部７２ｂが長孔１０ａ内を横方向に移動する。そして、長孔１０ａ内での突起部７２ｂの位置に応じて、磁気ディスクメディア４１（図３（ａ）参照）に対してデータの記録が許されるか否かが磁気ディスクドライブ６（図１１（ａ）参照）側で判断される。なお、磁気ディスクドライブ６側で突起部７２ｂの位置を判断する機構としては、磁気テープドライブやフレキシブルディスクドライブなどに使用されている公知の機構を使用すればよく、このような磁気ディスクドライブ６の機構によって突起部７２ｂはアクセスされることとなる。
【００２９】
インナプレート２０は、図２に示すように、その主プレート２１が、およそ正方形をなしており、正方形の４つの角部のうち一つの角に相当する部分が磁気ディスクメディア４１より一回り大きい円弧の形状（円弧部２４）となっている。そして、円弧部２４に連なる一辺（図２における右手前側）に前記した切欠２３が扇形に形成されている。前記したリブ２２は、主プレート２１の外周縁のうち、円弧部２４および切欠２３を除く全周にわたり、上下に突出して形成されている。そして、主プレート２１の中央には、上方のセンタコア４２を露出して、下方のセンタコア４２との連結を可能にするための中央開口部２１ｃが形成されている。
また、主プレート２１の３つの角部には、上下に貫通してネジ９１のネジ軸部９１ａが挿通される孔２９が形成されている。
【００３０】
上プレート３０は、図２に示すように、下プレート１０とおよそ対称に形成されている。そして、図７に示すように、上プレート３０は、およそ正方形の主プレート３１に、前記した凹部１４ａ（図２参照）に対応する凹部３４と、リブ１７（図２参照）に対応するリブ３７と、下ロータ支持溝１８（図２参照）に対応する上ロータ支持溝３８が形成されている。なお、主プレート３１の中央に開口は形成されず、側壁１３（図２参照）に対応する側壁も形成されていない。
そして、主プレート３１の外周縁には、下方に突出するリブ３２が、凹部３４を除く全周にわたって形成されている。
また、主プレート３１の四つの角部には、ネジ９１のネジ軸部９１ａが貫通する孔３９が形成されている。
【００３１】
下ロータ５１は、図２に示すように、およそ磁気ディスクメディア４１と同じリング状の下ロータプレート５１ａに中央開口部５１ｃ、切欠５１ｅ、リブ５１ｄ、およびギヤ５１ｆが形成され、下ロータプレート５１ａの外周縁にシャッタプレート５１ｂが立設されて構成されている。中央開口部５１ｃは、下プレート１０のリブ１７に外嵌する円形に形成され、切欠５１ｅは、下プレート１０の凹部１４ａに対応する扇形に形成される。また、リブ５１ｄは、下プレート１０の下ロータ支持溝１８に対応して下ロータプレート５１ａの下面の外周縁に下方に向けて設けられている。
シャッタプレート５１ｂは、開口部３（図３（ａ）参照）とディスクスタック４０（図３（ａ）参照）とを遮断する遮蔽部材であり、切欠５１ｅに隣接して下ロータプレート５１ａの外周縁に沿って立設されている。ギヤ５１ｆは、シャッタ４（図３（ａ）参照）を、磁気ディスクカートリッジ１の外部から開閉操作するために係合される部分であり、下ロータプレート５１ａの外周に、シャッタプレート５１ｂに隣接して所定の範囲に形成されている。
【００３２】
上ロータ５２は、図２に示すように、下ロータ５１とおよそ対称に構成されている。すなわち、下ロータプレート５１ａと同様な上ロータプレート５２ａからなり、上ロータプレート５２ａには、上プレート３０のリブ３７（図７参照）に外嵌する中央開口部５２ｃと、凹部３４（図７参照）に対応する切欠５２ｅと、上ロータ支持溝３８（図７参照）に対応するリブ５２ｄとが形成されている。また、上ロータプレート５２ａの外周縁の切欠５２ｅに隣接する部分には、下ロータ５１のシャッタプレート５１ｂに対応して、シャッタ溝５２ｂ（図９参照）が形成されている。シャッタ溝５２ｂと、シャッタプレート５１ｂの上端縁が係合することで、下ロータ５１と上ロータ５２は一体に回動するようになっている。
上ロータ５２は、中央開口部５２ｃが上プレート３０のリブ３７に外嵌するとともにリブ５２ｄが上ロータ支持溝３８に係合することで上プレート３０に回動自在に支持されている。なお、上ロータ５２は、次に説明する係止部材５３により上プレート３０からの脱落が防止されている。
係止部材５３は、上プレート３０のリブ３７（図７参照）に内挿される筒部５３ａと、筒部５３ａの一端に形成されたフランジ５３ｂを有し、筒部５３ａが上ロータ５２の下側から中央開口部５２ｃに挿通され、リブ３７に超音波溶着または接着剤などにより固定されている。
【００３３】
図９に示す拡大断面図のように、下ロータ５１の上面、インナプレート２０の上下の両面、および上ロータ５２の下面は、磁気ディスクメディア４１と対向する面であり、それぞれ磁気ディスクメディア４１に対向する部分にわたってライナ４９が貼り付けられている。このようなライナ４９は、例えばポリエステル繊維やレーヨン／ポリエステル混紡繊維などの不織布などからなる。
【００３４】
次に、下プレート１０と、インナプレート２０と、上プレート３０の積層構造について説明する。
下プレート１０のリブ１２は、図９に示すように内側が外側に対して一段高く形成されて雄型段部１２ａを形成している。そして、インナプレート２０のリブ２２は、最外周で下方に突出した雌型段部２２ａを形成しており、雄型段部１２ａの外周と雌型段部２２ａの内周が嵌合可能になっている。また、ネジ９１（図２参照）により下プレート１０、インナプレート２０、および上プレート３０を締結したときには、雄型段部１２ａの上面と、インナプレート２０の下面の対応する部分が密着する設定となっている。このように、下プレート１０のリブ１２と、インナプレート２０のリブ２２は、いわゆる印籠嵌合しているため、外部からカートリッジケース２内への塵埃の侵入が防止されている。
同様にして、インナプレート２０同士、およびインナプレート２０と上プレート３０も印籠嵌合により積層されている。すなわち、インナプレート２０の上側は、内側が一段高くなった雄型段部２２ｂが形成され、上プレート３０のリブ３２は、最外周が一段下側に突出した雌型段部３２ａが形成されている。そして、インナプレート２０の雄型段部２２ｂと、上に隣接するインナプレート２０の雌型段部２２ａが印籠嵌合し、また、インナプレート２０の雄型段部２２ｂと、上プレート３０の雌型段部３２ａが印籠嵌合して積層されている。このようにして、リブ１２，２２，３２は互いに印籠嵌合して、外部からカートリッジケース２へ塵埃が入ることを防止している。また、下プレート１０、インナプレート２０、上プレート３０の積層と同時にカートリッジケース２の側壁が構成される。
【００３５】
また、前記した雌型段部２２ａおよび雄型段部２２ｂは、ともに主プレート２１からライナ４９の厚みより高く突出している。そのため、インナプレート２０にライナ４９を貼り付けてアセンブリにした後に、このアセンブリを作業台などに置いたとしても、ライナ４９が作業台に接することが無く、したがってライナ４９が塵埃などで汚染されることがない。
【００３６】
このようなインナプレート２０の積層によるカートリッジケース２の構成は、磁気ディスクメディア４１の枚数の変更を容易にする。側壁１３の高さ変更や、シャッタプレート５１ｂの高さ変更は要するが、主としてインナプレート２０の枚数を変更するだけで、カートリッジケース２内に形成される磁気ディスクメディア４１の収容部の数を変更できるからである。
【００３７】
次に、磁気ディスクメディア４１およびその積層構造について説明する。
磁気ディスクメディア４１は、例えばポリエステルなどの樹脂シートに磁性塗料を両面に塗布したものである。
【００３８】
図１０に示すように、センタコア４２は、金属板をプレスにより絞り成形して略ハット状にしたものである。すなわち、主として円形の底板４２ａと、底板４２ａの外周縁から立ち上がる低い円筒状の側壁４２ｂと、側壁４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００３９】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００４０】
このようなスペーサ４３は、図９に示すように、隣接するセンタコア４２の間に介装される。スペーサ４３の下側に突出したピン４３ｂは、スペーサ４３の下側のセンタコア４２の小孔４２ｅに入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
【００４１】
なお、最上層のセンタコア４２は、上側に回転係止すべきセンタコアが無いため、その上には下側にのみピン４３ｂを突出させた、厚みの薄いトップスペーサ４３′が配置される。
【００４２】
以上のように積層された磁気ディスクメディア４１、つまりディスクスタック４０は、連結軸４４、ベアリングボール４５、圧縮コイルばね４６、およびセンタプレート４７により、安定した回転支持がなされている。
図９に示すように、連結軸４４は、積層されたセンタコア４２の相互間の中心の振れを少なくするとともに、ベアリングボール４５および圧縮コイルばね４６を保持するためのものであり、軸部４４ａ、ボール保持部４４ｂ、およびばね保持部４４ｃからなる。軸部４４ａは、センタコア４２のセンタホール４２ｄに挿通可能な円柱形状からなる。ボール保持部４４ｂは、軸部４４ａの上端に上側に開口した有底円筒状に形成されている。ボール保持部４４ｂの深さは、ベアリングボール４５の半径より大きく、そのためベアリングボール４５がボール保持部４４ｂに安定して保持される。ばね保持部４４ｃは、ボール保持部４４ｂの外径側に有底円筒を伏せた形状からなり、軸部４４ａとばね保持部４４ｃの間の円筒状の空間に圧縮コイルばね４６が配置される。なお、連結軸４４の長さは任意的であるが、本実施形態では、下から２層目のセンタコア４２まで届く長さであり、最下層のセンタコア４２のセンタホール４２ｄは、磁気ディスクドライブのスピンドル６５が進入できるように開いている。
【００４３】
センタプレート４７は、上プレート３０の内面の中心、つまり、リブ３７の内側の平面部分に貼り付けられた滑り部材である。センタプレート４７は、例えば、ポリオキシメチレン樹脂、超高分子量ポリエチレンなどの滑り性と耐摩耗性に優れた材料から構成することができる。
【００４４】
ベアリングボール４５は、例えばボールベアリングに使用される鋼製の球体からなるが、滑り性、耐摩耗性に優れた樹脂、例えばポリテトラフルオロエチレン、ポリオキシメチレン樹脂などにより構成しても良い。ベアリングボール４５は、連結軸４４のボール保持部４４ｂ内に配置されて、ボール保持部４４ｂの底面および上プレート３０の内面の中心、つまりセンタプレート４７と点接触により当接して、ディスクスタック４０を回転支持する。
【００４５】
圧縮コイルばね４６は、一端（上端）が連結軸４４のばね保持部４４ｃに保持され、他端（下端）が最上層のセンタコア４２の上面に当接して、積層されたセンタコア４２を下プレート１０側、つまり磁気ディスクドライブのスピンドル６５側へ付勢している。これにより、センタコア４２は、カートリッジケース２の中でがたつくことがなく、磁気ディスクメディア４１の回転時の振れが防止される。
【００４６】
ここで磁気ディスクカートリッジ１が装填される磁気ディスクドライブについて簡単に説明すると、図１１（ａ）に示すように、磁気ディスクドライブ６は、ケーシング６０と、ケーシング６０内に区画された磁気ディスクカートリッジ１の収納部６６と、シャッタオープンギヤ６７と、スイングアーム６２と、スイングアーム６２の先端に設けられた磁気ヘッド６３と、スイングアーム６２を揺動軸ＳＸ周りに揺動させるアクチュエータ６１と、磁気ディスクカートリッジ１の磁気ディスクメディア４１（ディスクスタック４０（図３（ａ）参照）を回転軸ＡＸ周りに回転させるスピンドル６５と、磁気ディスクカートリッジ１のノッチ２５を受け止める位置決め部材６４と、磁気ディスクカートリッジ１の面取り部１３ｂを受け止める受止め部材６８とを備えている。そして、この位置決め部材６４は、図１１（ｂ）に示すように、磁気ディスクドライブ６のケーシング６０の底面から上方に向けて突出するように設けられたピンで構成されており、この位置決め部材６４は、図１１（ａ）に示すように、スイングアーム６２の揺動軸ＳＸの近傍に配置されている。
【００４７】
このような磁気ディスクドライブ６の図示しない挿入口から磁気ディスクカートリッジ１が挿入されると、図５に示すシャッタオープンギヤ６７が第２アームの先端部を側壁１３の内側に向かって押圧する。その結果、シャッタロック部材７１は、シャッタロック部材７１が図５中における時計回りに回動することによって、第１アーム７１ｂの先端部がギヤ５１ｆから外れる。次いで、図５に示すように、シャッタオープンギヤ６７は、下ロータ５１のギヤ５１ｆに噛み合うとともに、下ロータ５１をシャッタ４（図３（ａ）参照）の開方向に回転させる。
【００４８】
そして、図１１（ａ）に示すように、磁気ディスクカートリッジ１の面取り部１３ｂが磁気ディスクドライブ６の受止め部材６８に沿うように挿入された場合、つまり、磁気ディスクカートリッジ１の挿入方向Ｄ（図１参照）と磁気ディスクカートリッジ１の表裏の別が正常な場合には、磁気ディスクカートリッジ１が磁気ディスクドライブ６の収納部６６に装填される。このとき、ノッチ２５は、図１１（ａ）および図１１（ｂ）に示すように、磁気ディスクドライブ６の位置決め部材６４を受け入れるとともに、位置決め部材６４は、ノッチ２５の両側面２５ａ，２５ａ（図４（ｂ）参照）で受け止められる。その結果、磁気ディスクカートリッジ１は、磁気ディスクドライブ６内の所定の位置に位置決めされる。そして、磁気ディスクカートリッジ１は、ノッチ２５の両側面２５ａ，２５ａで位置決め部材６４を受け止めた位置で、前記したように磁気ディスクドライブ６のスピンドル６５を最下層のセンタコア４２のセンタホール４２ｄ（図８参照）に受け入れるようになっている。なお、磁気ディスクカートリッジ１の挿入方向Ｄ（図１参照）や磁気ディスクカートリッジ１の表裏の別が誤っている場合には、磁気ディスクカートリッジ１は磁気ディスクドライブ６の収納部６６内に収納されない。
【００４９】
収納部６６に収納された磁気ディスクカートリッジ１は、図１１（ａ）および図１１（ｂ）に示すように、ノッチ２５が磁気ディスクドライブ６の位置決め部材６４を受け入れるとともに、位置決め部材６４は、ノッチ２５の両側面２５ａ，２５ａ（図４（ｂ）参照）で受け止められる。その結果、磁気ディスクカートリッジ１は、磁気ディスクドライブ６内の所定の位置に位置決めされる。そして、磁気ディスクカートリッジ１は、ノッチ２５の両側面２５ａ，２５ａで位置決め部材６４を受け止めた位置で、前記したように磁気ディスクドライブ６のスピンドル６５を最下層のセンタコア４２のセンタホール４２ｄ（図８参照）に受け入れる。
【００５０】
このような磁気ディスクカートリッジ１に対し、データの記録、再生を行う磁気ディスクドライブは、図８に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。この際、スピンドル６５が、圧縮コイルばね４６の付勢力に抗してセンタコア４２を若干持ち上げるので、図８、図９に示すように、各磁気ディスクメディア４１は、下ロータ５１とインナプレート２０、上下のインナプレート２０同士、またはインナプレート２０と上ロータ５２の各間に形成される空間の中央に位置する。
磁気ディスクドライブの磁気ヘッド６３は、スイングアーム６２の先端に設けられている。磁気ヘッド６３は、各磁気ディスクメディア４１の両面に配置されている。
【００５１】
以上のような磁気ディスクカートリッジ１は、図３（ａ）に示すように、不使用時は、シャッタ４を図中左回りに回動させて開口部３を閉塞しておくことで、内部への塵埃の侵入を防止することができる。そして、使用時には、図３（ｂ）に示すように磁気ディスクドライブに装填する際に、磁気ディスクドライブのシャッタオープンギヤ６７が、溝１３ａに嵌って案内されてギヤ５１ｆと噛合し、シャッタ４を図中右回りへ回動させる。
そして、スピンドル６５が回転することで、ディスクスタック４０が回転する。その後、アクチュエータ６１により駆動されることでスイングアーム６２が回動して、磁気ヘッド６３が磁気ディスクメディア４１の上に移動される。
【００５２】
磁気ヘッド６３で、磁気ディスクメディア４１にデータを記録する場合には、図示せぬ制御回路により磁気ヘッド６３へ信号を送ることで磁気ディスクメディア４１にデータが記録され、磁気ディスクメディア４１からデータを再生する場合には、磁気ディスクメディア４１上の磁界変化を磁気ヘッド６３で検知して、信号が出力される。
【００５３】
また、ライナ４９は、磁気ディスクメディア４１が低速で回転する際に、適宜に磁気ディスクメディア４１に触れることによって磁気ディスクメディア４１上に付着した塵埃を除去する。
【００５４】
磁気ディスクカートリッジ１の使用後は、磁気ヘッド６３がカートリッジケース２から退避した後、磁気ディスクカートリッジ１をイジェクトすることで、シャッタオープンギヤ６７によりギヤ５１ｆが駆動されてシャッタ４が開口部３を閉じる。そして、押圧している第２アーム７１ｃの先端部をシャッタオープンギヤ６７が解放すると、板バネ部７１ｄが復元することによって、第１アーム７１ｂの先端部は再びギヤ５１ｆに噛み合う。その結果、下ロータ５１は回転不能となってシャッタ４（図３（ａ）参照）はロックされる。
【００５５】
以上のような磁気ディスクカートリッジ１は、複数の磁気ディスクメディア４１を有することから、複数の磁気ヘッド６３で同時にデータにアクセスすることで、データ転送を高速で行うことができる。
また、インナプレート２０を積み上げていくことでカートリッジケース２が構成されるために、磁気ディスクメディア４１を異なる枚数にする仕様変更が容易である。そして、磁気ディスクカートリッジ１の組立時には、磁気ディスクメディア４１をインナプレート２０や、下プレート１０に組み付けた下ロータ５１上に載せて取り扱うことができるため、磁気ディスクメディア４１に触れる機会を減らし、品質をより安定させることができる。
そして、インナプレート２０は、下プレート１０もしくはインナプレート２０の上に積層され、固定されていることから、磁気ディスクメディア４１との平行性を高くでき、磁気ディスクメディア４１の回転を安定させることができ、磁気ディスクメディア４１の高速回転、ひいてはデータ転送の高速化も可能となる。
【００５６】
また、この磁気ディスクカートリッジ１では、シャッタロック部材７１および誤消去防止部材７２の両方が下プレート１０に配置されるので、シャッタロック部材７１や誤消去防止部材７２を磁気ディスクカートリッジ１に組み込むための構造が下プレート１０に形成される。その結果、インナプレート２０や上プレート３０の形状を変更しなくともよい。また、磁気ディスクカートリッジ１が組み立てられる際に、シャッタロック部材７１や誤消去防止部材７２は、下プレート１０に載せて持ち運ぶことができる。そして、インナプレート２０の形状を変更しなくともよいので、インナプレート２０の枚数を変えれば磁気ディスクメディア４１の枚数の変更が可能となる。つまり、この磁気ディスクカートリッジ１によれば、その組立性、生産性および設計変更の自由度を阻害しないようにしてシャッタロック部材７１や誤消去防止部材７２の配置が可能となる。
【００５７】
また、磁気ディスクカートリッジ１では、磁気ディスクドライブ６のアクセス対象となるアクセス部、つまり挿入方向識別部および表裏識別部としての面取り部１３ｂやノッチ２５が下プレート１０に集中的に配設されている。その結果、この磁気ディスクカートリッジ１では、カートリッジケース２を構成するインナプレート２０にアクセス部を配設する必要がない。つまり、磁気ディスクメディア４１を仕切るインナプレート２０に干渉しないようにアクセス部が配設される。したがって、この磁気ディスクカートリッジ１によれば、磁気ディスクメディア４１の配置等の設計の自由度を高めることができる。
【００５８】
以上、本発明の実施形態について説明したが、本発明は前記した実施形態に限定されることなく適宜変形して実施することが可能である。例えば、実施形態においては、記録ディスクメディアとして磁気ディスクメディア４１を適用したが、光によりデータを記録する光ディスクメディアの場合にも同様に適用することができる。
【００５９】
また、前記実施形態では、下プレート１０、インナプレート２０、上プレート３０をネジ９１により締結固定したが、接着、溶着により一体に固定することも可能である。
【００６０】
前記実施形態では、シャッタロック部材７１と誤消去防止部材７２の両方を下プレート１０に集中的に配置しているが、本発明はこれに限定されるものではなく、シャッタロック部材７１および誤消去防止部材７２のいずれか一方が下プレート１０に配置されたものであってもよい。
【００６１】
また、前記実施形態では、アクセス部として、面取り部１３ｂおよびノッチ２５を備えた磁気ディスクカートリッジ１を例示したが、本発明はこれに限定されるものではなく、例えば、ＬＴＯ規格に準拠した磁気テープカートリッジに設けられているような、磁気ディスクドライブ６内で磁気ディスクカートリッジ１の位置決めをする丸孔や長孔がアクセス部として下プレート１０に配設されたものであってもよい。
【図面の簡単な説明】
【００６２】
【図１】図１（ａ）は、実施形態に係る磁気ディスクカートリッジをその右斜め前方向から見た様子を示す斜視図、図１（ｂ）は、実施形態に係る磁気ディスクカートリッジをその左斜め後方向から見た様子を示す斜視図である。
【図２】実施形態に係る磁気ディスクカートリッジの分解斜視図である。
【図３】図３（ａ）は、図２の磁気ディスクカートリッジのシャッタが閉じている状態を示す図、図３（ｂ）は、磁気ディスクカートリッジが磁気ディスクドライブに装填されて、シャッタが開いている状態を示す図である。
【図４】図４（ａ）は、下プレートの斜視図、図４（ｂ）は、図４（ａ）中のＸ方向から見た下プレートの部分拡大図である。
【図５】下プレートに取り付けられたシャッタロック部材の様子を示す平面図である。
【図６】下プレートに取り付けられた誤消去防止部材の様子を示す平面図である。
【図７】上プレートの裏側を示す斜視図である。
【図８】図３（ｂ）におけるVIII−VIII断面図である。
【図９】図８の部分拡大図である。
【図１０】磁気ディスクメディアの積層構造を示す分解斜視図である。
【図１１】図１１（ａ）は、磁気ディスクカートリッジが磁気ディスクドライブに装填された際の様子を示す模式図、図１１（ｂ）は、図１１（ａ）中のＹ方向から見た位置決め部材周りの様子を示す模式図である。
【符号の説明】
【００６３】
１      磁気ディスクカートリッジ
２      カートリッジケース
３      開口部
４      シャッタ
６      磁気ディスクドライブ（ディスクドライブ）
１０    下プレート
１３ｂ  面取り部（アクセス部）
２０    インナプレート
２３    切欠
２５    ノッチ（アクセス部）
３０    上プレート
３４    開口
４０    ディスクスタック
４１    磁気ディスクメディア
４２    センタコア
４３    スペーサ
４４    連結軸
４５    ベアリングボール
４７    センタプレート
４９    ライナ
５１    下ロータ
５２    上ロータ
６１    アクチュエータ
６２    スイングアーム
６３    磁気ヘッド（ヘッド）
６５    スピンドル
７１    シャッタロック部材
７２    誤消去防止部材
【図１】
2006073101.tif 000003
【図２】
2006073101.tif 000004
【図３】
2006073101.tif 000005
【図４】
2006073101.tif 000006
【図５】
2006073101.tif 000007
【図６】
2006073101.tif 000008
【図７】
2006073101.tif 000009
【図８】
2006073101.tif 000010
【図９】
2006073101.tif 000011
【図１０】
2006073101.tif 000012
【図１１】
2006073101.tif 000013